【事件の表示】
　特願２０１２−２３２５７１「光学デバイス及び画像表示装置」拒絶査定不服審判事件〔平成２６年　５月１２日出願公開、特開２０１４−　８５４２５、請求項の数（６）〕について、次のとおり審決する。
【結　論】
　原査定を取り消す。
　本願の発明は、特許すべきものとする。
【理　由】
第１　手続の経緯
　特願２０１２−２３２５７１号（以下「本願」という。）は、平成２４年１０月２２日の出願であって、その手続等の経緯は、概略、以下のとおりである。
平成２８年　４月　５日付け：拒絶理由通知書
平成２８年　６月　９日付け：意見書、手続補正書
平成２８年　６月１３日付け：意見書、手続補正書
平成２８年１１月２９日付け：拒絶理由通知書
平成２９年　２月　２日付け：意見書、手続補正書
平成２９年　７月２６日付け：補正の却下の決定（平成２９年２月２日にした手続補正の却下）、拒絶査定（以下「原査定」という。）
平成２９年１０月３０日付け：審判請求書、手続補正書
平成３０年１２月　５日付け：拒絶理由通知書
平成３１年　１月１８日付け：意見書、手続補正書
第２　原査定の概要
　原査定の拒絶の理由は、概略、本願の請求項１−１１に係る発明は、その出願前に日本国内又は外国において頒布された以下の刊行物に記載された発明又は電気通信回線を通じて公衆に利用可能となった発明に基づいて、その出願前にその発明の属する技術の分野における通常の知識を有する者（以下「当業者」という。）が容易に発明できたものであるから、特許法２９条２項の規定により特許を受けることができない、というものである。
＜引用文献等一覧＞
引用文献Ａ：特開２０１２−１６３６５９号公報
引用文献Ｂ：国際公開第２００６／０９８０９７号
引用文献Ｃ：特表２００３−５３６１０２号公報
引用文献Ｄ：特開２０１２−１６８４２５号公報
第３　平成３０年１２月５日付け拒絶理由通知書において通知した拒絶の理由の概要
　平成３０年１２月５日付けの拒絶理由通知書において通知した拒絶の理由は、概略、次のとおりである。
理由１：本願の請求項１、２、７、８、１０に係る発明は、その出願前に日本国内又は外国において、頒布された以下の引用文献１に記載された発明又は電気通信回線を通じて公衆に利用可能となった発明であるから、特許法２９条１項３号に該当し、特許を受けることができない。
理由２：本願の請求項１−４、７−１０に係る発明は、その出願前に日本国内又は外国において頒布された以下の引用文献１に記載された発明及び引用文献２の記載事項に基づいて、その出願前に当業者が容易に発明できたものであるから、特許法２９条２項の規定により特許を受けることができない、というものである。
＜引用文献等一覧＞
引用文献１：特開２０１２−１６３６５９号公報  
引用文献２：特表２００３−５３６１０２号公報 
第４　本願発明
　本願の請求項１−６に係る発明（以下、それぞれ「本願発明１」−「本願発明６」という。）は、平成３１年１月１８日付けの手続補正で補正された特許請求の範囲の請求項１−６に記載された事項により特定されるとおりの、以下の発明である。 
「　　【請求項１】
　表示素子により形成され、投射光学系により平行な光束に変換されて射出された画像光を内部に取り込む入射部と、互いに対向して平行に延びる第１及び第２全反射面により前記画像光を導光する導光部と、導光された前記画像光を外部に射出する射出部と、を有する導光体を備え、
　前記入射部は、前記第１及び第２全反射面のうち観察側に位置する面に対して傾斜した反射面を有し、
　前記射出部は、前記射出部の光射出面に対して傾斜した第１光学層と、少なくとも１つの第２光学層を有し、
　前記第１光学層は、
　前記画像光の一部を前記光射出面に向けて反射し、他の一部を透過する第１半反射層と、
　前記導光体内を導光されて前記第１半反射層に対して所定の角度よりも浅い角度で入射して平行に進まない不適正な角度成分を含む光の吸収量が、前記導光体内を導光されて前記第１半反射層に対して前記所定の角度で入射して平行に進む適正な角度成分を含む画像光の吸収量よりも大きい第１光吸収層と、を積層した積層膜であり、
　前記第２光学層は、
　前記第１半反射層と平行に配置され、前記第１半反射層を透過した前記画像光に対して、光学的作用をするものであり、
　入射した画像光の一部を前記光射出面に向けて反射し、他の一部を透過する第２半反射層と、
　前記第２半反射層に対して前記所定の角度よりも浅い角度で入射して平行に進まない不適正な角度成分を含む光の吸収量が、前記第２半反射層に対して前記所定の角度で入射して平行に進む適正な角度成分を含む画像光の吸収量よりも大きい第３光吸収層と、を積層した積層膜であることを特徴とする光学デバイス。
　　【請求項２】
　請求項１に記載の光学デバイスにおいて、
　前記第１光吸収層は、前記第１半反射層に対して入射した角度に応じて前記画像光が前記第１光吸収層を透過する距離が異なることにより、前記第１半反射層に対して浅い角度で入射して平行に進まない不適正な角度成分を含む光の吸収量が、前記第１半反射層に対して前記所定の角度で入射して平行に進む適正な角度成分を含む画像光の吸収量よりも大きくなることを特徴とする光学デバイス。
　　【請求項３】
　請求項１または請求項２に記載の光学デバイスにおいて、
　前記第１光吸収層は、前記第１半反射層よりも前記射出部側に位置していることを特徴とする光学デバイス。
　　【請求項４】
　請求項１乃至請求項３のいずれかに記載の光学デバイスにおいて、
　前記反射面は、
　前記画像光を反射する反射層と、
　前記反射面と前記反射層との間に設けられ、前記反射層に対して前記所定の角度よりも浅い角度で入射して前記導光部において平行に進まない不適正な角度成分を含む光の吸収量が、前記反射層に対して前記所定の角度で入射して前記導光部において平行に進む適正な角度成分を含む画像光の吸収量よりも大きい第２光吸収層と、を有することを特徴とする光学デバイス。
　　【請求項５】
　請求項４に記載の光学デバイスにおいて、
　前記第１半反射層及び前記第２半反射層は、誘電体多層膜を含むことを特徴とする光学デバイス。
　　【請求項６】
　請求項１から請求項５までのいずれか一項に記載の光学デバイスと、
　前記画像光を形成する表示素子と、
　前記画像光を平行光として前記光学デバイスに射出する投射光学系と、を備えたことを特徴とする画像表示装置。」
第５　引用文献、引用発明等
１　引用文献１の記載事項
　平成３０年１２月５日付けの拒絶理由通知書において通知した拒絶の理由に引用文献１として引用され、本願の出願前に頒布された刊行物である特開２０１２−１６３６５９号公報（以下「引用文献１」という。）には、以下の事項が記載されている。なお、下線は、当合議体が付したものであり、引用発明の認定に活用した箇所を示す。
（１）「【技術分野】
【０００１】
　本発明は、頭部に装着して使用するヘッドマウントディスプレイ等の虚像表示装置に関する。
・・・（中略）・・・
【発明が解決しようとする課題】
【０００９】
　本発明は、上記背景技術の問題に鑑みてなされたものであり、輝度斑を抑えた虚像表示装置を提供することを目的とする。
・・・（中略）・・・
【図面の簡単な説明】
【００２５】
【図１】第１実施形態の虚像表示装置を示す斜視図である。
【図２】（Ａ）は、虚像表示装置を構成する第１表示装置の本体部分の平面図であり、（Ｂ）は、本体部分の正面図である。
・・・（中略）・・・
【図５】虚像表示装置の光学系における光路を具体的に説明する平面図である。
・・・（中略）・・・
【図１９】（Ａ）は、第６実施形態の虚像表示装置を構成する要部の平面図であり、（Ｂ）は、フィルター周辺の断面構造を説明する概念図である。」
（２）「【発明を実施するための形態】
【００２６】
〔第１実施形態〕
　以下、図面を参照しつつ、本発明の第１実施形態に係る虚像表示装置について詳細に説明する。
【００２７】
〔Ａ．虚像表示装置の外観〕
　図１に示す第１実施形態の虚像表示装置１００は、眼鏡のような外観を有するヘッドマウントディスプレイであり、この虚像表示装置１００を装着した観察者に対して虚像による画像光を認識させることができるとともに、観察者に外界像をシースルーで観察させることができる。虚像表示装置１００は、観察者の眼前を覆う光学パネル１１０と、光学パネル１１０を支持するフレーム１２１と、フレーム１２１のヨロイからテンプルにかけての部分に付加された第１及び第２駆動部１３１，１３２とを備える。ここで、光学パネル１１０は、第１パネル部分１１１と第２パネル部分１１２とを有し、両パネル部分１１１，１１２は、中央で一体的に連結された板状の部品となっている。図面上で左側の第１パネル部分１１１と第１駆動部１３１とを組み合わせた第１表示装置１００Ａは、左眼用の虚像を形成する部分であり、単独でも虚像表示装置として機能する。また、図面上で右側の第２パネル部分１１２と第２駆動部１３２とを組み合わせた第２表示装置１００Ｂは、右眼用の虚像を形成する部分であり、単独でも虚像表示装置として機能する。
【００２８】
〔Ｂ．片側の表示装置の構造〕
　図２（Ａ）等に示すように、第１表示装置１００Ａは、画像形成装置１０と、導光装置２０と、フィルター５０とを備える。ここで、画像形成装置１０は、図１における第１駆動部１３１に相当し、導光装置２０は、図１における第１パネル部分１１１に相当する。なお、図１に示す第２表示装置１００Ｂは、第１表示装置１００Ａと同様の構造を有し左右を反転させただけであるので、第２表示装置１００Ｂの詳細な説明は省略する。
【００２９】
　画像形成装置１０は、画像表示装置１１と、投射光学系１２とを有する。このうち、画像表示装置１１は、２次元的な照明光ＳＬを射出する照明装置３１と、透過型の空間光変調装置である液晶表示デバイス３２と、照明装置３１及び液晶表示デバイス３２の動作を制御する駆動制御部３４とを有する。
・・・（中略）・・・
【００３２】
　
導光装置２０は、導光部材２１と光透過部材２３とを接合したものであり、全体としてＸＹ面に平行に延びる平板状の光学部材を構成している。
【００３３】
　導光装置２０のうち、
導光部材２１は、平面視において台形のプリズム状部材であり、側面として、第１反射面２１ａと、第２反射面２１ｂと、第３反射面２１ｃと、第４反射面２１ｄとを有する。
第１及び第２反射面２１ａ，２１ｂは、ＸＹ面に沿って延び、導光部材２１の厚みｔだけ離間する。また、第３反射面２１ｃは、ＸＹ面に対して４５°以下の鋭角αで傾斜しており、第４反射面２１ｄは、ＸＹ面に対して例えば４５°以下の鋭角βで傾斜している。第３反射面２１ｃを通る第１光軸ＡＸ１と第４反射面２１ｄを通る第２光軸ＡＸ２とは平行に配置され距離Ｄだけ離間している。
・・・（中略）・・・
【００３６】
　
光入射部Ｂ１は、三角プリズム状の部分であり、第１反射面２１ａの一部である光入射面ＩＳと、光入射面ＩＳに対向する第３反射面２１ｃとを有する。光入射面ＩＳは、画像形成装置１０からの画像光ＧＬを取り込むための裏側又は観察者側の平面であり、投射光学系１２に対向してその第１光軸ＡＸ１に垂直に延びている。第３反射面２１ｃは、光入射面ＩＳを通過した画像光ＧＬを反射して導光部Ｂ２内に導くための矩形の全反射ミラーである。
【００３７】
　図３（Ａ）は、第３反射面２１ｃを説明する図であり、光入射部Ｂ１における表面部分Ｐ１の部分拡大断面図である。第３反射面２１ｃは、ミラー層２５を有し保護層２６で被覆されている。このミラー層２５は、全反射のコーティングであり、導光部材２１の斜面ＲＳ上にアルミ等の蒸着によって成膜を施すことにより形成される。
第３反射面２１ｃは、投射光学系１２の第１光軸ＡＸ１又はＸＹ面に対して
傾斜しており
【００３８】
　図２（Ａ）等に戻って、
導光部Ｂ２は、互いに対向しＸＹ面に平行に延びる２平面として、光入射部Ｂ１で折り曲げられた画像光をそれぞれ全反射させる第１反射面２１ａと第２反射面２１ｂとを有している。
・・・（中略）・・・
【００４１】
　図２（Ａ）等に戻って、
光射出部Ｂ３は、三角プリズム状の部分であり、第１反射面２１ａの一部である光射出面ＯＳと、光射出面ＯＳに対向する第４反射面２１ｄとを有する。光射出面ＯＳは、画像光ＧＬを観察者の眼ＥＹに向けて射出するための裏側の平面であり、光入射面ＩＳと同様に第１反射面２１ａの一部となっており、第２光軸ＡＸ２に垂直に延びている。
第４反射面２１ｄは、第１及び第２反射面２１ａ，２１ｂを経て入射してきた画像光ＧＬを反射して光射出部Ｂ３外に射出させるための矩形の平坦面であり、ハーフミラー層２８を有している。
・・・（中略）・・・
【００４３】
　
第４反射面２１ｄは、第１反射面２１ａに垂直な第２光軸ＡＸ２又はＸＹ面に対して
傾斜しており
・・・（中略）・・・
【００５４】
〔Ｄ．横方向に関する画像光の光路〕
　図５は、第１表示装置１００Ａにおける具体的な光路を説明する断面図である。投射光学系１２は、３つのレンズＬ１，Ｌ２，Ｌ３を有している。
【００５５】
　
液晶表示デバイス３２の
表示点
からの画像光
は、投射光学系１２
を通過することで平行光束化され、導光部材２１の光入射面ＩＳに入射する。導光部材２１内に導かれた画像光
は、第１及び第２反射面２１ａ，２１ｂにおいて等しい角度で全反射を繰り返して、最終的に光射出面ＯＳから平行光束として射出される。
（３）「【００９０】
〔第６実施形態〕
　以下、図面を参照しつつ、本発明の第６実施形態に係る虚像表示装置について詳細に説明する。なお、第６実施形態の虚像表示装置は、第１又は第２実施形態の虚像表示装置１００を部分的に変更したものであり、
特に説明しない部分は第１実施形態等の虚像表示装置１００と同様であるものとする。
【００９１】
　図１９（Ａ）に示すように、本実施形態の場合、
光射出部Ｂ３の第４反射面２１ｄにフィルター６５０を設けている。
フィルター６５０は、
２次元的な吸収率分布をするＮＤフィルターとすることができ
　本実施形態の場合、ハーフミラー層２８で反射される画像光ＧＬは、光射出部Ｂ３においてフィルター６５０を往復することで輝度斑補正される。なお、ハーフミラー層２８自体の反射率分布を持たせることによっても、同様の輝度斑補正が可能になり、この場合、ハーフミラー層２８がフィルターとして機能している。」
（４）「【図１】
【図２】
・・・（中略）・・・
【図５】
・・・（中略）・・・
【図１９】
」
２　引用発明
（１）引用発明
　上記１より、引用文献１には、第６実施形態として、次の発明（以下「引用発明」という。）が記載されている。
「　導光部材２１と光透過部材２３とを接合した、全体としてＸＹ面に平行に延びる平板状の光学部材を構成している、導光装置であって、
　導光部材２１は、ＸＺ面視において台形のプリズム状部材であり、側面として、第１反射面２１ａと、第２反射面２１ｂと、第３反射面２１ｃと、第４反射面２１ｄとを有し、
　第１及び第２反射面２１ａ，２１ｂは、ＸＹ面に沿って延び、導光部材２１の厚みｔだけ離間し、また、第３反射面２１ｃは、ＸＹ面に対して４５°以下の鋭角αで傾斜しており、第４反射面２１ｄは、ＸＹ面に対して例えば４５°以下の鋭角βで傾斜し、第３反射面２１ｃを通る第１光軸ＡＸ１と第４反射面２１ｄを通る第２光軸ＡＸ２とは平行に配置され距離Ｄだけ離間し、
　光入射部Ｂ１は、三角プリズム状の部分であり、第１反射面２１ａの一部である光入射面ＩＳと、光入射面ＩＳに対向する第３反射面２１ｃとを有し、
　光入射面ＩＳは、画像形成装置１０からの画像光ＧＬを取り込むための裏側又は観察者側の平面であり、投射光学系１２に対向してその第１光軸ＡＸ１に垂直に延び、第３反射面２１ｃは、光入射面ＩＳを通過した画像光ＧＬを反射して導光部Ｂ２内に導くための矩形の全反射ミラーであり、
　導光部Ｂ２は、互いに対向しＸＹ面に平行に延びる２平面として、光入射部Ｂ１で折り曲げられた画像光をそれぞれ全反射させる第１反射面２１ａと第２反射面２１ｂとを有し、
　光射出部Ｂ３は、三角プリズム状の部分であり、第１反射面２１ａの一部である光射出面ＯＳと、光射出面ＯＳに対向する第４反射面２１ｄとを有し、
　光射出面ＯＳは、画像光ＧＬを観察者の眼ＥＹに向けて射出するための裏側の平面であり、光入射面ＩＳと同様に第１反射面２１ａの一部となっており、第２光軸ＡＸ２に垂直に延び、
　第４反射面２１ｄは、第１及び第２反射面２１ａ，２１ｂを経て入射してきた画像光を反射して光射出部Ｂ３外に射出させるための矩形の平坦面であり、ハーフミラー層２８を有し、
　液晶表示デバイス３２の表示点からの画像光は、投射光学系１２を通過することで平行光束化され、導光部材２１の光入射面ＩＳに入射し、導光部材２１内に導かれた画像光は、第１及び第２反射面２１ａ，２１ｂにおいて等しい角度で全反射を繰り返して、最終的に光射出面ＯＳから平行光束として射出され、
　第３反射面２１ｃは、投射光学系１２の第１光軸ＡＸ１又はＸＹ面に対して傾斜しており、
　第４反射面２１ｄは、第１反射面２１ａに垂直な第２光軸ＡＸ２又はＸＹ面に対して傾斜しており、
　光射出部Ｂ３の第４反射面２１ｄに、２次元的な吸収率分布をするＮＤフィルターである、フィルター６５０を設けた、
　導光装置。」
第６　対比・判断
１　本願発明１について
（１）対比
　本願発明１と引用発明を対比すると、以下のとおりとなる。
　ア　導光体
　引用発明の「光入射部Ｂ１」、「導光部Ｂ２」、「光射出部Ｂ３」及び「導光部材２１」は、技術的にみて、それぞれ本願発明１の「光入射部」、「導光部」、「光射出部」及び「導光体」に相当する。
　そうしてみると、引用発明の「導光部材２１」は、本願発明１の「導光体」における「光入射部」と、「導光部」と、「光射出部」と、を有するという要件を満たすものである。
　イ　入射部
　引用発明の「光入射部Ｂ１」は、「三角プリズム状の部分であり、第１反射面２１ａの一部である光入射面ＩＳと、光入射面ＩＳに対向する第３反射面２１ｃとを有」するものである。
　また、引用発明の「導光装置」において、「液晶表示デバイス３２の表示点からの画像光は、投射光学系１２を通過することで平行光束化され、導光部材２１の光入射面ＩＳに入射」するものである。
　そうしてみると、引用発明の「導光装置」は、「液晶表示デバイス３２の表示点からの画像光」が「投射光学系１２を通過することで平行光束化され」、「光入射部Ｂ１」の「光入射面ＩＳ」に「入射」するものである。ここで、引用発明の「液晶表示デバイス３２」、「投射光学系１２」及び「画像光」は、技術的にみて、それぞれ本願発明１の「表示装置」、「投射光学系」及び「画像光」に相当する。
　以上のことから、引用発明の「光入射部Ｂ１」は、本願発明１の「入射部」における「表示素子により形成され、投射光学系により平行な光束に変換されて射出された画像光を内部に取り込む」という要件を満たすものであるといえる。
　加えて、引用発明の「第３反射面２１ｃ」は、「投射光学系１２の第１光軸ＡＸ１又はＸＹ面に対して傾斜して」いるものである。また、引用発明の「第１及び第２反射面２１ａ，２１ｂは、ＸＹ面に沿って延び」、「光入射面ＩＳ」は、「第１反射面２１ａの一部」である。
　そうしてみると、引用発明の「光入射部Ｂ１」は、本願発明１の「入射部」における「前記第１及び第２全反射面のうち観察側に位置する面に対して傾斜した反射面を有」するという要件を満たすものであるといえる。
　ウ　導光部
　引用発明の「導光部Ｂ２」は、「互いに対向しＸＹ面に平行に延びる２平面として、光入射部Ｂ１で折り曲げられた画像光をそれぞれ全反射させる第１反射面２１ａと第２反射面２１ｂとを有」するものである。
　ここで、上記「第１反射面２１ａと第２反射面２１ｂ」は、技術的にみて、本願発明１の「第１及び第２全反射面」に相当する。
　また、引用発明の「導光部材２１内に導かれた画像光」は、「第１及び第２反射面２１ａ，２１ｂにおいて等しい角度で全反射を繰り返して、最終的に光射出面ＯＳから平行光束として射出され」るものである。
　そうしてみると、引用発明の「導光部Ｂ２」は、本願発明１の「導光部」における「互いに対向して平行に延びる第１及び第２全反射面により前記画像光を導光する」という要件を満たすものである。
　エ　射出部
　引用発明の「ハーフミラー層２８」は、技術的にみて、本願発明１の「前記画像光の一部を前記光射出面に向けて反射し、他の一部を透過する第１半反射層」に相当する。
　また、一般にＮＤフィルターは、光吸収性を有するものである。そうしてみると、引用発明の「２次元的な吸収率分布をするＮＤフィルターである、フィルター６５０」は、本願発明１の「第１光吸収層」に相当し、引用発明の「ハーフミラー層２８」と「フィルター６５０」を併せたものは、本願発明１の「第１光学層」に相当するといえる。また、引用発明の「光射出部Ｂ３」は、本願発明１の「光射出部」における「第１光学層」を有するという要件を満たすといえる。
　さらに、「光射出部Ｂ３」は、「三角プリズム状の部分であり、第１反射面２１ａの一部である光射出面ＯＳと、光射出面ＯＳに対向する第４反射面２１ｄとを有し」、「第４反射面２１ｄ」は、「第１反射面２１ａに垂直な第２光軸ＡＸ２又はＸＹ面に対して傾斜して」いるものである。
　そうしてみると、上述の引用発明の「ハーフミラー層２８」と「フィルター６５０」を併せたものは、本願発明１の「第１光学層」における「前記射出部の光射出面に対して傾斜した」という要件を満たすものである。
（２）一致点及び相違点
　ア　本願発明１と引用発明は、次の構成で一致する。
（一致点）
「　表示素子により形成され、投射光学系により平行な光束に変換されて射出された画像光を内部に取り込む入射部と、互いに対向して平行に延びる第１及び第２全反射面により前記画像光を導光する導光部と、導光された前記画像光を外部に射出する射出部と、を有する導光体を備え、
　前記入射部は、前記第１及び第２全反射面のうち観察側に位置する面に対して傾斜した反射面を有し、
　前記射出部は、前記射出部の光射出面に対して傾斜した第１光学層を有し、
　前記第１光学層は、
　前記画像光の一部を前記光射出面に向けて反射し、他の一部を透過する第１半反射層と、
　第１光吸収層と、を積層した積層膜である、
　光学デバイス。」
　イ　本願発明１と引用発明は、次の点で相違する。
（相違点１）
　本願発明１の「第１光吸収層」は、「前記導光体内を導光されて前記第１半反射層に対して所定の角度よりも浅い角度で入射して平行に進まない不適正な角度成分を含む光の吸収量が、前記導光体内を導光されて前記第１半反射層に対して前記所定の角度で入射して平行に進む適正な角度成分を含む画像光の吸収量よりも大きい」のに対して、引用発明の「第１光吸収層」に相当する「フィルター６５０」は、このように特定されたものではない点。
（相違点２）
　本願発明１の「射出部」は、「前記射出部の光射出面に対して傾斜した」「少なくとも１つの第２光学層を有し」、「前記第２光学層は、前記第１半反射層と平行に配置され、前記第１半反射層を透過した前記画像光に対して、光学的作用をするものであり、入射した画像光の一部を前記光射出面に向けて反射し、他の一部を透過する第２半反射層と、前記第２半反射層に対して前記所定の角度よりも浅い角度で入射して平行に進まない不適正な角度成分を含む光の吸収量が、前記第２半反射層に対して前記所定の角度で入射して平行に進む適正な角度成分を含む画像光の吸収量よりも大きい第３光吸収層と、を積層した積層膜である」のに対して、引用発明は、「第２光学層」を有していない点。
（３）相違点についての判断
　事案に鑑みて、上記相違点２について先に検討する。
　引用文献１には、「第２光学層」を設けることは記載も示唆もされていない。
　また、他に、「第２半反射層」と「第３光吸収層」を積層した「第２光学層」を設けることを記載乃至示唆する文献はなく、「第２半反射層」と「第３光吸収層」を有する「第２光学層」を設けることが公知の技術的事項であるとはいえない。
　他方、本願発明１は、「第２半反射層」と「第３光吸収層」を積層した「第２光学層」を設けた構成とすることによって、「第２半反射層に入射する角度の浅い画像光を吸収できるので、ゴーストを抑制することが可能となる」（【００１２】）という効果を奏するものである。そうしてみると、「第２光学層」を設けることが設計変更等であるともいえない。
　したがって、相違点１について検討するまでもなく、本願発明１は、たとえ当業者といえども、引用発明に基づいて容易に発明をすることができたとはいえない。　
２　本願発明２−本願発明６について
　本願発明２−本願発明６は、本願発明１の「光学デバイス」と同一の構成を備えるものであるから、本願発明１と同じ理由により、当業者であっても、引用発明に基づいて容易に発明できたものであるとはいえない。
第７　原査定について
　原査定の拒絶の理由において引用文献Ａ〜Ｄとして引用された各文献には、「第２半反射層」と「第３光吸収層」を有する「第２光学層」を設けることは記載も示唆もされていない。
　そして、平成３１年１月１８日付けの手続補正により、本願発明１−本願発明６は、「第２半反射層」と「第３光吸収層」を積層した「第２光学層」を設けた構成となっている。そうしてみると、当業者であっても、原査定において引用された引用文献Ａ〜Ｄに基づいて、容易に発明できたとはいえない。
　したがって、原査定の理由を維持することはできない。
第８　むすび
　以上のとおり、原査定の理由によって、本願を拒絶することはできない。
　また、他に本願を拒絶すべき理由もない。
　よって、結論のとおり審決する。